(57)【要約】患者の歯の印象を取る印象トレーがここに述べられており、特にトリプルトレーとして知られる印象トレーに至るまで述べられている。トリプルトレーは、同じ歯科処置の最中に患者の上下の印象と噛み合わせを同時に取ることが出来るように作られる。本書面の他所に述べるトレーは、本書面の他所に述べるトレーの一つを用いて取った患者の歯列の印象が変形しないで、したがって実際の歯列の正確な投影であるように、フレームの剛性を強化または増大させる構造を含む。
2008508080.tif 000002
【特許請求の範囲】
【請求項１】
歯列の印象を取るためのトリプルトレーであって、
内壁と、
外壁であって、該外壁に取り付けられたハンドルを有する外壁と、
前記内壁と前記外壁の両方に接続され、少なくとも一つの溝を規定するスクリーンと、
前記外壁の少なくとも一面および前記内壁の少なくとも一面に沿って位置された複数のリブとを有し、
前記ハンドルは、前記ハンドルの平らな部分から前記ハンドルの周縁に向かって半径方向外向きの傾きを持ったテーパー面を有するテーパー化されたランプによって規定される窪みを備えることを特徴とするトリプルトレー。
【請求項２】
前記複数のリブは、印象材による把持を容易にするために、前記外壁の内側壁面と前記内壁の内側壁面のうちの少なくとも一つに沿って配置されていることを特徴とする、請求項１に記載のトリプルトレー。
【請求項３】
歯列の印象を取るためのトリプルトレーであって、
内壁と、
外壁であって、該外壁に取り付けられたハンドルを有する外壁と、
前記内壁と前記外壁の両方に接続されたスクリーンと、
印象材による把持を容易にするために前記外壁の内側壁面および前記内壁の内側壁面に沿って位置された複数のリブとを有し、
複数の開口が前記内壁の外側壁面から前記内壁の内側壁面を分離し、前記ハンドルは前記ハンドルの周縁近くに延伸する傾斜面を有するランプによって規定される窪みを含むことを特徴とするトリプルトレー。
【請求項４】
前記内壁および前記外壁は歯列全体を捕捉するのを可能にするのに充分なくらい長いことを特徴とする、請求項１、２、または３に記載のトリプルトレー。
【請求項５】
前記内壁および前記外壁は歯列の３／４を捕捉するのを可能にするのに充分なくらい長いことを特徴とする、請求項１、２、３、または４に記載のトリプルトレー。
【請求項６】
前記複数のリブは、実質的に横切る方向に存在することを特徴とする、請求項１、２、または３に記載のトリプルトレー。
【請求項７】
前記トレーの少なくとも一部分は、ポリマー、ポリマーアロイ、ポリマー合成物、またはそれらの組み合わせから出来ていることを特徴とする、先行する請求項のいずれかに記載のトリプルトレー。
【請求項８】
前記複数のリブの少なくとも一つは、延伸する壁構造を有し、該延伸する壁構造は前記ハンドルによって規定される平面に垂直に配置されることを特徴とする、請求項７に記載のトリプルトレー。
【請求項９】
前記スクリーンは、編まれたタイプの材料、編まれていないタイプの材料、およびそれらの組み合わせからなるグループの中から選択されることを特徴とする、請求項７または８に記載のトリプルトレー。
【請求項１０】
前記ハンドルは孔を有することを特徴とする、先行する請求項のいずれかに記載のトリプルトレー。
【請求項１１】
前記複数のリブの少なくとも一つは実質的に長手方向に存在することを特徴とする、先行する請求項のいずれかに記載のトリプルトレー。
【請求項１２】
前記テーパー化されたランプはＵ形の構造をしていることを特徴とする、請求項１または３に記載のトリプルトレー。
【請求項１３】
前記ハンドルは前記外壁と一体的に成形されていることを特徴とする、先行する請求項のいずれかに記載のトリプルトレー。
【請求項１４】
前記編まれたタイプの材料は、撚り結びされた材料であることを特徴とする、請求項９に記載のトリプルトレー。
【請求項１５】
前記複数のリブの少なくとも一つは延伸する壁構造を有し、該延伸する壁構造は前記ハンドルによって規定される平面に対してある角度を持って配置されることを特徴とする、先行する請求項のいずれかに記載のトリプルトレー。
【請求項１６】
前記外壁の外側壁面に少なくとも一つのリブをさらに有することを特徴とする、請求項１または３に記載のトリプルトレー。
【請求項１７】
前記内壁および前記外壁は、歯列の門歯および犬歯の部分のみを捕捉するのを可能にするのに充分な長さであることを特徴とする、請求項１または３に記載のトリプルトレー。
【請求項１８】
前記ポリマーは、ポリアミド、ポリスチレン、ポリホルムアルデヒド、ポリアリルエーテルエーテルケトン（PEEK）、ポリカーボネート（PC）、ＰＣ混合物、硫化ポリフェニール、アクリルポリマー、アクリロ二トリルブタジエンスチレン（ABS）、ポリアセタル、ポリオレフィン、ポリエステル、ポリ塩化ビニル、ポリエーテルイミド、液晶ポリマー、およびそれらの組み合わせからなるグループの中から選択されることを特徴とする、請求項７に記載のトリプルトレー。
【請求項１９】
前記ハンドルの少なくとも一部分は書き込み可能であることを特徴とする、先行する請求項のいずれかに記載のトリプルトレー。
【請求項２０】
前記複数のリブは、前記外壁の内壁に沿って実質的に均等に離れていることを特徴とする、先行する請求項のいずれかに記載のトリプルトレー。
【請求項２１】
前記ハンドルは、情報の表記を有することを特徴とする、請求項１９に記載のトリプルトレー。
【請求項２２】
前記ハンドルは、前記外壁と一体的に成形されていることを特徴とする、請求項１または３に記載のトリプルトレー。
【請求項２３】
歯列の印象を取るためのトリプルトレーであって、
第１の延伸部と、曲がった部分と、第２の延伸部と、柱とを有する金属フレームと、
プラスチックハンドルであって、保持壁と、受け孔と、前記ハンドルの周縁に沿って延びる傾斜面を有するランプによって規定される窪みとを有するプラスチックハンドルと、
スクリーンとを含み、
前記柱は前記ハンドルの前記受け孔に受け止められることを特徴とするトリプルトレー。
【請求項２４】
前記スクリーンは、前記金属フレームの前記第１の延伸部と、前記曲がった部分と、前記第２の延伸部に取り付けられて上部の溝と下部の溝を規定することを特徴とする、請求項２３に記載のトリプルトレー。
【請求項２５】
前記スクリーンは、前記金属フレームの前記第１の延伸部と、前記第２の延伸部に取り付けられて上部の溝と下部の溝を規定することを特徴とする、請求項２３に記載のトリプルトレー。
【請求項２６】
前記金属フレームの前記第２の延伸部が、前記保持壁に固定されていることを特徴とする、請求項２３、２４、または２５に記載のトリプルトレー。
【請求項２７】
前記保持壁がスリットを有することを特徴とする、請求項２６に記載のトリプルトレー。
【請求項２８】
前記金属フレームの前記第１の延伸部が第２の保持壁に固定されていることを特徴とする、請求項２３から２７のいずれかに記載のトリプルトレー。
【請求項２９】
前記第２の保持壁が前記第１の延伸部の少なくとも一部分を覆うポリマースリーブの一部分を有することを特徴とする、請求項２８に記載のトリプルトレー。
【請求項３０】
前記金属フレームが、アルミニウム、ステンレス鋼、マグネシウム、真鍮、銅、ニッケル／チタン合金、またはそれらの組み合わせからなるグループの中から選択される材料で作られていることを特徴とする、請求項２３から２９のいずれかに記載のトリプルトレー。
【請求項３１】
前記第１の延伸部の前記少なくとも一部分が前記ポリマースリーブで重ね成形されていることを特徴とする、請求項３０に記載のトリプルトレー。
【請求項３２】
前記スクリーンが前記ポリマースリーブに固定されていることを特徴とする、請求項２９、３０または３１に記載のトリプルトレー。
【発明の詳細な説明】
【技術分野】
【０００１】
〔相互参照〕
本願は、2004年8月2日出願の米国仮特許出願第60/598,339号の“歯型（印象）トレー”の利益を請求し、その内容は、その参照によって全体として明白にここに含まれる。
【０００２】
本発明は、一般的に患者の歯の印象を取る歯印象トレーに関する。本発明は、特にはトリプル咬合トレー（triple bite tray）として知られる歯印象トレーに関する。
【背景技術】
【０００３】
トリプル咬合トレーまたはトリプルトレーは、患者の歯列の印象を取るためのものとして歯科技術においてはよく知られている。トリプルトレーは、同じ歯科処置の最中に患者の上下の歯の印象と噛み合わせを同時に取れるように作られている。
【０００４】
トリプルトレーは施術者の間で普及しているが、いくつかの従来のトリプルトレーは変形という問題がある。変形は、想定できるように、患者の歯列の間違った鋳型を招き、ひいてはその間違った鋳型に例えば石膏を流し込むことによって間違った歯列の模型となってしまう。
【発明の開示】
【発明が解決しようとする課題】
【０００５】
従って、変形に対してもっと強いトリプルトレーが必要とされている。
【課題を解決するための手段】
【０００６】
本発明は、内壁と、ハンドルが取り付けられている外壁と、内壁および外壁の両方に結合し少なくとも１つの溝（channel）を規定するスクリーンと、外壁の少なくとも１面および内壁の少なくとも１面に沿って配置される複数のリブとを有し、上記ハンドルは、ハンドルの平らな部分からハンドルの周縁に向けて半径方向外側に向かう傾きを持ったテーパー面を有するテーパー化されたランプ（ramp）によって規定される窪みを含む、歯列の印象を取るためのトリプルトレーを提供することによって実現される。
【０００７】
一態様において、上記複数のリブは、印象材の把持を容易にするために、外壁の内側壁面と内壁の内側壁面のうちの少なくとも一つに配置される。
【０００８】
本発明はまた、内壁と、ハンドルが取り付けられている外壁と、内壁および外壁の両方に結合するスクリーンと、印象材の把持を容易にするために、外壁の内側壁面と内壁の内側壁面のうちの少なくとも一つに配置される複数のリブとを有し、複数の開口が内壁の外側壁面を内壁の内側壁面から分離し、複数の横壁が内壁の内側壁面と外側壁面の両方に接続されて、ある開口と他の開口を分離し、上記ハンドルはハンドルの周縁近くに延伸する傾斜面を有するランプによって規定される窪みを有する、歯列の印象を取るためのトリプルトレーを提供することによって実行される。
【０００９】
本発明は、第１の延伸部分と、曲がった部分と、第２の延伸部分とを有する金属フレームと、第１の保持壁と、受け孔と、ハンドルの周縁に沿って延伸する傾斜を含むランプによって規定される窪みを有するプラスチックハンドルに取り付けられた柱（post）とを含み、上記柱は上記受け孔に受け止められ、上記金属フレームの第１の延伸部分、曲がった部分、第２の延伸部分にスクリーンが取り付けられて上部の溝と下部の溝を規定する、歯列の印象を取るためのトリプルトレーを更に提供する。
【００１０】
一実施例において、上記第１の保持壁は、印象材の保持を容易にするために壁の内側壁面に沿って配置される複数のリブを有する。
【００１１】
他の実施例において、上記第１の延伸部の少なくとも一部分はポリマースリーブを含む。
【００１２】
一態様において、上記第１の延伸部の少なくとも一部分はポリマースリーブで重ね成形（オーバーモールド）される。他の態様において、上記第１の延伸部の少なくとも一部分はポリマースリーブで覆われる。
【００１３】
一実施例において、上記第１の延伸部の少なくとも一部分は第２の保持壁に固定される。一態様において、第２の保持壁は、その保持壁の内側壁面の少なくとも一部分に沿って配置される複数のリブを含む。
【００１４】
本発明の他の態様および優位点は以下の説明およびここに添付する図を吟味することによって理解され実行することが出来るであろう。
【発明を実施するための最良の形態】
【００１５】
本発明のこれらおよび他の構成および優位点は、明細書、請求項、および添付の図を参照することによってより良く理解されるようになるものと同様に認識されるようになるであろう。
【００１６】
添付の図に結び付けて以下に述べる詳細な説明は、本発明の実施によって提供されるトリプルトレーのここで例示する実施例の説明を意図するものであり、本発明が構築され、または使用される唯一の形態を表わすことを意図するものではない。説明は、本発明のさまざまなトリプルトレーを作成および使用する構造およびステップを、図示する具体例と結びつけて述べる。しかし、本発明の趣旨および範囲内に包含されるよう意図された他の実施例によっても、同一または同等の機能および構造が達成され得ることを理解されたい。また、本明細書の他所で述べるように、似通った要素番号は、似通った、または同様の要素または構造を指すことを意図している。
【００１７】
患者の歯の印象は、噛み合わせ用の器具製造者や、歯冠およびブリッジの製造などさまざまな目的で作られる。本発明は、特定の適用のために歯医者によって使用されるようになされたさまざまな種類の印象トレーを含む。これらのトレーの種類は、後部トレー、前部トレー、フルアーチトレー、４分の３アーチトレー、および四分円トレーを含む。トレーは、単に印象形成材をその上に載せて、患者の口に印象形成材を置いたり、口から取り除くのを容易にするための乗せ台として使用することが出来る。
【００１８】
使用に当たっては、トレーはシリコーンの印象材、またはポリエーテルの印象材のような柔軟な未硬化の化合物で満たされ、その化合物が落ち着く、つまり硬化するまで患者の口腔内に置かれる。これは、一般的に数分の時間がかかる。
【００１９】
本発明の印象トレーは、材料が載せられたトレーを患者の口腔から取り除いたときの印象の変形を最小化することによって良い印象を作るのに充分な剛性をもたらす。歯の処置のために選択された歯の正確なネガ印象は、患者の歯列の正確な複製を生成するために使用され、その複製に従って石の模型等の上で歯具が作られる。
【００２０】
一実施例において、図１に例示するように、本発明の態様によるフルアーチ型の歯印象トレーの概略斜視図が提供される。図示のように、トレー１０は患者の口の全ての歯列を取るのに有用なフルアーチのトレーであり、分離線Ｌに対して例えば対称的である。トレー１０は、頬側の壁すなわち外壁１２と、舌側の壁すなわち内壁１４と、その２つの壁を相互に結ぶスクリーン１６と、外壁１２に取り付けられたハンドル１８とを含む。内壁および外壁は、患者の歯列を捕捉するために患者が噛み下ろすのに適応する硬化可能な印象材を受け止めるための溝２０を規定している。すでに明らかなように、印象材は上の溝２０Ａと下の溝２０Ｂの両方の溝２０に適用しても良い。トレー１０には、いくつか名前を挙げれば、例えばアルジネート、ポリビニルシロキサン、および超親水性ＶＰＳのような、すでに市場にあるか先行技術の中で開示されている適切な印象材のいずれかが使用される。
【００２１】
スクリーン１６は、印象材を保持する基台として作用し、編まれた材料または編まれていない材料によって作られ、患者の歯が完全に閉じる間邪魔をする可能性を最少化し、印象材上で正確に咬合するのを妨げない、つまり、上下の歯が合うのを妨げないくらい充分に薄い。一つの典型的な実施例において、スクリーンは、例えば平均の厚さが約２．５ミル（０．０６ｍｍ）から約５．５ミル（０．１５ｍｍ）、さらに例示すれば約３．５ミル（０．０９ｍｍ）から４．５ミル（０．１１ｍｍ）の、編まれた材料、または、例えば撚り結び（spun-bound）のポリエステルのような、編まれていない材料のいずれかで作られる。編まれた材料の一例は、中国のCheung Kee Cotton Factory社から入手可能な綿製のガーゼ、ナイロンメッシュ材、または他の同等の材料である。編まれていない材料の例としては、米国特許番号第3,845,659、 4,340,563、 4,405,297、 4,692,106、および5,431,986号に開示され、フロリダのCerex Advanced Fabrics of Cantonment社から入手可能なものを含む。これらの特許の内容は、参照によって、完全に開示されたごとく明確にここに含まれる。
【００２２】
外壁１２は、外側壁面２２および内側壁面２４を有する。外壁１２の内側壁面２４には複数のリブ２６が並んでいる。複数のリブ２６は、印象取り作業の最中に印象材がトレーからずれたり剥がれることが無いように、硬化可能な印象材が接着する、または取り付く面を提供し、また、変形を最小化する補助になる。一つの典型的な実施例において、リブ２６は、外壁１２の内側壁面２４に沿って実質的に等間隔に離れており、各リブは丸い端面２８を有する。他の実施例においては、リブ２６は、外壁１２の内側壁面２４に沿って不規則、つまりランダムに離れている。
【００２３】
一つの典型的な実施例において、複数のリブ２６は、概略、実質的に同じ高さであるが、外壁１２のエッジつまり端部３０に近いリブは、例外的に、例えば外壁１２の２つの端部にテーパー部分があれば、それに対応して連続的に短くなっている。外壁１２の端部３０は、トレーを患者の歯列の印象を取るために使用したときに、口腔の歯肉の部分を傷つけるのを最小化するまたは防ぐためにテーパー化される。
【００２４】
内壁１４は、内側壁面３２と外側壁面３４を有する。一実施例において、やはり硬化可能な印象材の把持または接着を容易にするために、複数のリブが内側壁面３２に並んでいる。一態様において、リブ２６は、ここでも丸い端面を有し、内壁１４の内側壁面３２に沿って実質的に均等に離れている。開口３６の間の横壁３８が内壁１４の剛性を増すリブとして機能し、また変形を最小化するべく補助する。開口３６は、剛性のために十分な数の壁、および／または壁厚が含まれる限りは、大きさ、形状、および数は変化する。アーチ状の内壁１４によって規定される後ろ側の溝４０、およびスクリーン１６は、硬化可能な印象材を保持するかもしれないが、それを保持する目的ではなく、むしろトレー１０の半径方向に沿った構造的な剛性を増加させるのが目的である。
【００２５】
他の実施例において、図Ｉａに示すように、リブ２６は、実質的に長手方向１０６、実質的に横切る方向１０８、およびその両方に存在する。図Ｉａの実施例においては、さまざまな構造の、離れたリブのアレーを組み入れることが可能であることはすでに認識されているが、明らかにするために、さまざまなリブ構造をした２、３の典型的な実施例リブのみを示している。他の実施例においては、外壁１２の外側壁面２２および内壁１４の外側壁面３４の実質的に中心に沿った、すなわち分割線Ｌの実質的に直近に、リブ１０６、１１０の少なくとも１つが配置されている。更に他の実施例において、内壁１４の内側壁面３２と、内壁１４の外側壁面３４と、外壁１２の内側壁面２４と、外壁１２の外側壁面２２のうちの少なくとも１つの外側のエッジに沿って、少なくとも１つのリブ１１２が存在する。上述したように、リブは、縦の構造であれ横の構造であれ、トレー１０の剛性を増すのに寄与し、壁はトレーの所望の剛性と妥協することなく充分に薄く作ることが出来る。
【００２６】
一実施例において、複数のリブ２６が外壁１２の内側壁面２４および内壁１４の内側壁面３２にある代わり、またはそれに追加して、少なくとも１つのリブを、外壁１２の外側壁面の上下のエッジ、および内壁１４の外側壁面３４の上下のエッジに設ける。
【００２７】
さらに他の実施例において、複数のリブ２６が外壁１２の内側壁面２４および内壁１４の内側壁面３２にある代わり、またはそれに追加して、少なくとも１つのリブを、壁の長手方向に沿って、外壁１２の外側壁面、および内壁１４の外側壁面３４に設ける。
【００２８】
なおさらなる実施例において、少なくとも１つのリブを、壁の分割線Ｌの実質的に中央に沿って、外壁１２の外側壁面、および内壁１４の外側壁面３４に設ける。リブは、上記ではフルアーチに関して述べたが、それらは以下に述べる他のアーチ形態にも等しく適用できる。
【００２９】
普通以上に大きいハンドル１８が、外壁１２の外側壁面２２に、例えば取り付けられ、または一体的に成形される。ハンドル１８は、外壁の外側の壁面２２から延伸するベース４１と、ハンドル１８の周縁４６に沿ったランプ４４を設けることによって形成され、例えば円形劇場に似た窪み４２を含む。窪みは一般的にトレーを握りやすくする。他の例において、ランプ４４はハンドルの周縁４６に沿って延伸する、概略Ｕ形の構造をした、テーパー化された幅部を有するアーチ形の区域を含む。テーパー化された区域は、およそハンドル１８の平らな区域４８から始まり、それが半径方向外側に延伸するにつれて傾斜していく。ランプ４４は、ユーザーがトレー１０を握るのを容易にし、ランプの傾斜した区域はユーザーが握るための物理的な障害をもたらす。容易に明らかなように、同じランプ４４はハンドル１８の反対側にも設けられる。他の例示具体例において、前記ランプは水平面から約３度から３０度の傾きを有する。一実施例において、ランプ４４は、非直線的な傾斜または曲がった傾斜を有する。トレー１０を吊り下げるため、またはそれを通して患者の識別情報、および／または他の個人情報を持ったタグまたはラベルを挿入するための、任意設置の穴４３を設けても良い。
【００３０】
ハンドル１８のベース部分４１は、例えば外壁１２にさらに構造的な剛性を加えるくらい充分に大きい。一実施例において、ベース部分４１は、外壁１２に付いている部分が内壁１４の円弧面の約１０％から約３０％に相当する幅を有する。ハンドルはまた、その一部に患者の個人情報を記録するための、記入可能な面を設けても良い。記入可能な面は、ハンドルの他の部分から盛り上がっていても良いし、凹んでいても、または同一面でも良い。その部分は、一般的にはハンドルの他の部分と同じ材料である。それはまた、記入性を良くする、つまり情報の記録をし易くするために、別な処理またはコーティングがなされても良い。
【００３１】
一つの典型的な実施例において、患者が硬化可能な印象材を噛み下ろすときに最小限の曲がりまたは変形をするトレー１０を作るために、トレー１０は、ポリスチレン（Dow Chemical Company社から入手可能なSTYRON（登録商標）685D、またはSTYRON（登録商標） A-TECH（登録商標）のような）；ポリエチレン、ポリプロピレン、およびポリブチレンのようなポリオレフィン；ポリエチレンテレフタレート、またはポリブチレンテレフタレートのようなポリエステル；ナイロン６６ｗのようなポリアミド；アクリルポリマー；ポリ塩化ビニル；ＵＬＴＥＭ（登録商標）のようなポリエーテルイミド；ポリカーボネートまたはポリカーボネートとポリブチレンテレフタレート、またはイソフタレートテレフタレートレゾルシン樹脂（すべてＧＥ Plastics社から入手可能）との共重合体であるLexan（登録商標）プラスチックとの合成物であるXenoy（登録商標）樹脂のようなポリマー混合物のようなポリカーボネート（PC）混合物；ポリホルムアルデヒド（DERLIN（登録商標）として入手可能）、ポリアリルエーテルエーテルケトン（PEEK）、硫化ポリフェニレン、アクリロニトリルブタジエンスチレン（ABS）、ポリアセタールを含む他の固体材料；芳香族ポリエステル、または、芳香族ヒドロキシカルボキシル酸（例えばヒドロキシ安息香酸塩（剛性モノマー（rigid monomer））、ヒドロキシナフトアート（柔性モノマー（flexible monomer）））、芳香族ヒドロキシアミン、および芳香族ジアミン（米国特許第6,242,063、 6,274,242、 6,643,552、および 6,797,198号に例示され、その内容は参照によってここに含まれる）、末端無水物（terminal anhydride）基または横無水物（lateral anhydride）基を有するポリエステルイミド無水物（米国特許第6,730,377号に例示され、その内容は参照によってここに含まれる）、またはそれらの組み合わせを含むグループから選択される少なくとも１つの化合物を一成分として含む芳香族ポリエステルアミドのような液晶ポリマー、を含むいずれかのポリマーで作られる。
【００３２】
さらに、顔料、カーボン粒子、シリカ、ガラスファイバー、金属粒子または導電性ポリマーのような導電性粒子で充たされたポリマーであるエンジニアリングプリプレグ、またはエンジニアリング合成物のようなポリマー合成物のいずれか、またはそれらの混合物も用いられる。例えば、ポリカーボネートとＡＢＳ（Acrylonitrile Butadiene Styrene）の混合物、ナイロン６６ｗのようなポリアミドとガラスファイバー材料の混合物も使用できる。
【００３３】
一実施例において、外壁１２および内壁１４の壁厚は、例えば約1/32インチ（約０．８ｍｍ）から約1/4インチ（約６ｍｍ）、更なる例としては約1/16インチ（１．５ｍｍ）から約1/5インチ（約５ｍｍ）である。一般的に、リブの組み合わせ、その場所と配置、壁の厚みは、その製造に使用される材料の種類と共にそのすべてが、必要な剛性に寄与する。したがって、もしリブを戦略的に配置すれば、材料の選択は致命的なものにはならず、ポリエチレンテレフタレート、ポリブチレンテレフタレート、ポリスチレン、またはポリプロピレンのようなポリマーおよび合成物をトレーの製造に使用することが出来る。実際、もしリブが戦略的に配置されれば、壁厚は剛性と妥協することなく実際に減らすことが出来る。さらに、外壁１２を一つの材料で作り、内壁１４を複合材で作るなどのように、トレーの異なった要素を作るのに異なった材料または合成物の組み合わせを使用しても良い。また、壁の厚みは壁全体を通して均一でなくても良い。一実施例においては、壁もエッジに向かってテーパー化されている。
【００３４】
一例示具体例において、トレー１０は、内壁１４、外壁１２、およびハンドル１８をスクリーン１６と共に一体成形（co-molding）することで作られる。他の実施例において、トレー１０は別々の上部トレー部分５０と、下部トレー部分５２から作られ、複数の留め金係合によって中心線Ｌに沿って一緒にスナップ係合される。さらなる実施例において、トレー１０は別々の上部トレー部分５０と、下部トレー部分５２とから作られ、熱シールまたは接着剤を用いて一緒にくっつけられる。
【００３５】
ここで図２を参照すると、外壁１４の後ろ側溝４０の視点から、外壁１２の内側の壁面２４に向かって見たトレー１０の後面図が、明確化のためにスクリーン１６を取り除いて示されている。図から分かるように、内壁１４の壁の寸法、つまり分離線Ｌから測った高さは、分離線Ｌから測った外壁１２の壁寸法とは異なっている。図示のように、外壁１２は内壁１４よりも高い、つまり大きく、患者が硬化可能な印象材を噛み下ろしたときに硬化可能な材料が口からはみ出して外に流れ出ることがない。しかし、印象を取るときに、硬化可能な材料がいくらかは主たる溝２０から後ろ側の溝４０にオーバーフローすることは起こり得る。
【００３６】
図示してはいないが、トレー１０は小さな人の全歯列を取るために比例的に小さく、または大きな人用には大きく作ることが出来る。
【００３７】
ここで図３を参照すると、トレー１０の側面図が示されている。一つの典型的な実施例において、ハンドル１８はその後ろの部分５４でそのネック部分４１よりも大きな幅を有する。当業者には容易に明らかなように、幅が広いのは、テーパー化された壁部分、つまりランプ４４の追加された幅によるものである。外壁１２の幅と比較して、後ろの部分５４における幅は、例えば、外壁の約２０％から約５０％、更なる例として約２５％から約３５％の幅を有する。ネック部分４１の幅は、例えば外壁の約１０％から約４０％、更なる例として約１５％から２５％である。
【００３８】
理論的検討を待つまでもなく、幅広いハンドル、例えばハンドルのネック部分の幅も、製作されるあらゆる印象の変形を最小化するようにトレーの剛性に寄与することが推測される。
【００３９】
ここで、図４を参照すると、歯列の3/4を取るための四分の三トレー（以後3/4トレー）５６が示されている。3/4トレー５６は、ハンドル１８の中心線によって規定される平面の片側の外壁６０と内壁６２の一部が長手方向に沿って減少、つまり短くなっていることを除けば、図１〜３を参照して上述したフルアーチのトレー１０と同様である。3/4トレー５６は、上下の歯の片側全体と反対側の上下の第１二頭歯までの印象を取るよう構成されており、従って3/4トレーと名づけられる。このように、3/4トレーを作る上で内外壁の短くされる量、つまり部分は、歯列の片側全体と歯および反対側の第１二頭歯までの印象を取るのに必要なトレーの量に依存する。大きな人は小さな人よりはやはり大きな3/4トレーを必要とするであろう。3/4トレー５６の外壁６０、および内壁６２は、スクリーン１６のエッジで規定される直線５８で実質的に終わる、または直線５８に沿って並ぶ先端を有する。
【００４０】
ここで図５を参照すると、図４の3/4トレー５６の上面図が示されている。一つの典型的な実施例によれば、ベース部分４１は外壁６０との取り付け部分で、外壁６０のアーチ面の例えば約２５％から約４５％に等しい幅を有する。ハンドル１８は、それ以外は図１〜３のハンドルと同様であり、ランプ４４で規定される円形劇場、つまり窪み４２を含む。一つの典型的な実施例において、壁の短くなった側の外壁６０の端部または先端６４も、図４に示すように、図１に示したテーパーと同様にテーパー化されている。
【００４１】
ここで図６を参照すると、患者の歯列の前側（門歯および犬歯）の印象を取る前側トレー６６が示されている。前側トレー６６は、外壁６８および内壁７０が起点７２、または内外壁の先端から遠くへ延びていないことを除けば、図１を参照して上述したフルアーチトレー１０と同様である。内外壁６８、７０のアーチの長さは、患者の歯列の前側をカバーするのに十分な量だけ起点７２から延伸している。一つの典型的な実施例において、ハンドル１８は図１〜３のハンドルと同じ大きさ構造であり、ここでも大きな人には大きな大きさ、小さな人には小さな大きさが必要とされる。
【００４２】
図６Ａは、図６の前側トレー６６の概略上面図である。示した図において、溝４０にはスクリーン１６は無く、これは後ろ側の溝を含む本発明のトリプルトレーを実施する代替の方法である。
【００４３】
図７は、患者の歯列の後部（二頭歯および臼歯）の印象を取るための後部用トレー７４の等大の図である。図示した方向では、トレー７４は患者の歯列の右側の後部の印象を取るように設計されている。同じトレーを上下反対にすることによって、患者の歯列の左側の印象を取るために使用できる。
【００４４】
トレー７４は、プラスチックから作られる部分と金属から作られる部分を含む混成物でも良い。プラスチック部分は、上述したポリマー、あるいはポリマー合成物のいずれか、例えば、ポリスチレンまたは重量比４０％のガラスファイバーを含むナイロン６６ｗのような合成物を含む。金属部分は、構造的一体性を有する軽量の金属のいずれかであって、限定はしないが、アルミニウム、ステンレス鋼、マグネシウムおよびその合金、真鍮、銅、Ni/Ti合金のような合金、米国特許第6,682,661号、および米国特許出願第2004/0121283号に述べられ、その内容が参照によってここに含まれる、Liquid Metal Inc.社から入手可能なもののようなアモルファス金属のいずれか、またはそれらの組み合わせを含む。
【００４５】
金属部分は、図７および７ｃに示すように、第１の延伸部７８と、曲がった部分８０と、柱８４を含む第２の延伸部８２とを有する延伸したＵ形のフレーム７６を含む。フレーム７６の曲がり部８０は、患者が噛んだときに第２または第３臼歯の後方の歯ぐきの間に適合するくらい充分薄い厚みを持った平らな部分または面を有する。
【００４６】
トレー７４のポリマー部分は、図７および７ａに示すように、ハンドル部１８と、受け孔８６と、保持壁８８を含み、それらは、ここに例示する実施例においては一体的に鋳造または成形される単一の部品であるか、または別々に鋳造または成形されて一部品に組み立てられる。一つの典型的な実施例において、保持壁８８は、ハンドル１８に近い第１の部分９０と、第１の部分９０の反対側の第２の部分９４を有する。第１の部分９０は、保持壁８８の中央部９２からハンドル１８の実質的に平らな部分４８に向かってテーパーとなるテーパーエッジを含む。第２の部分９４は、トレー７４の、ユーザーに不快感を与える鋭利なエッジを除去または最小化する助けになるよう適応する曲線状のコーナーを有する。一つの典型的な実施例において、壁８８はまた、後部の歯列に対応するためにわずかに曲がっている。
【００４７】
Ｕ形のフレーム７６は、その柱８４をプラスチックハンドル１８の受け孔８６に挿入することによって組み立てられる。柱８４と受け孔８６は、確実な結合のために留め金を取り入れることが出来る。あるいは、柱８４は糊または接着剤を用いて受け孔８６に固定される。他の実施例においては、Ｕ形のフレームとハンドル１８は、例えばポリマースリーブをＵ形の金属フレームの部分に重ね成形（オーバーモールド）することで一体的に成形される。
【００４８】
一実施例において、Ｕ形のフレームの第１の延伸部７８は、図１１および１２に示すようにポリマー部７８ａで覆われるか、または図７、８、または９に示すように、覆われない。
【００４９】
図７ｃは、トレーのポリマー部に取り付けられる前のＵ形のフレームの斜視図を示す。一つの典型的な実施例において、フレーム７６は空洞であり、フレーム７６の内側の面の長手方向に延伸するスリットまたは溝９６を有する。スクリーン１６がスリット９６内に置かれ、スクリーンをフレームに固定するために挟み込まれる。代替の実施例において、フレーム７６は、フレームが空洞でない、つまり中空でないように芯を有する。
【００５０】
図７ｃは、図７ｃに示すＵ形のフレーム７６の第１の延伸部７８の周りに嵌合するための、その長さ全体に渡る孔７８ｂを含むポリマースリーブ７８ａの斜視図を示す。上述したように、アーチ部材７８ａは、Ｕ形のフレームとは別に形成されて、後で第１の延伸部７８の少なくとも一部分に組みつけられても良いし、または、一体的に成形されても良く、例えば、第１の延伸部７８の少なくとも一部分に重ね成形される。組み立てられた構造が図１１および１２に例示されている。
【００５１】
図７ｂに示すように、外被アーチ部材７８ａは、一体的に鋳造または成形された部品として例示されている壁７８ｃも含む。一実施例において、保持壁７８ｃは、端部の少なくとも一方に向かってテーパー化されている。
【００５２】
図１１は、例えば図７で上述したものと同じ構造を持つ後部用トレーの一実施例の斜視図を示す。加えて、第１の延伸部７８の少なくとも一部分がポリマースリーブ７８ａで覆われている。スリーブ７８ａは、一実施例において、上述したように第１の延伸部７８と一体的に成形されても良く、保持壁７８ｃを有する。他の実施例において、スリーブ７８は保持壁７８ｃ、および第１の延伸部７８が挿入される、その長さ全体に渡る孔７８ｂとは別に作ることが出来る。
【００５３】
図１２は、図１１の実施例の上面図を示す。示された向きにおいて、保持壁８８はＵ形のフレーム７６の第２の延伸部９４の曲がりに適合する曲がりを持っていることが示されている。一つの典型的な実施例において、保持壁８８は、Ｕ形のフレーム７６、またはＵ形のフレーム７６の第２の延伸部９４に物理的に取り付けられない。他の典型的な実施例において、保持壁８８には、第２の部分９４または中央部９２をフレーム７６に取り付けるための手段が含まれる。そのような手段は、糊、接着剤、または留め具を含む。
【００５４】
この実施例において、上述したように織られた、あるいは織られていないスクリーン材１６は、ポリマー部分８２およびポリマースリーブ７８ａの周辺のみで後部用トレーに取りつけられ、または結合される。ポリマースリーブ７８ａの自由端の方に、患者の生体情報を持った吊り下げラベル（図示せず）を受け入れるよう適した孔を有しても良い。
【００５５】
一つの典型的実施例において、ハンドル１８は、前述したようにランプ４４によって規定される窪みを含む。
【００５６】
ここで図８を参照すると、スクリーン１６がＵ形のフレーム７６に取り付けられているのが示されている。一つの典型的実施例において、フレーム７６は、図７ｃにおいて述べたように、フレーム７６は中空であり、フレーム７６の内側の面の長さ全体に渡って延びるスリットまたは溝９６を有する。スクリーン１６が次にスリット９６に配置され、スクリーンをフレームに固定するために挟み込まれる。代替の実施例において、フレーム７６はフレームが空洞または中空でないように芯を含む。
【００５７】
一つの典型的実施例において、保持壁８８も同様に、少なくともその中心線の部分に沿った隙間あるいはスリット９８を含んでも良い。柱８４をハンドル１８の受け孔８６に挿入することによってＵ形のフレームをハンドル１８に組み込むときに、スクリーン１６はスリット９８の間をスライドする。本書面の他所で述べた他のトレーの実施例と同様に、保持壁８８は複数の離れて配置されたリブ２６を有する。
【００５８】
図９は後部用トレー７４の上面図または正面図を示す。示した方向では、示すような保持壁８８はＵ形のフレーム７６の第２の延伸部９４の曲がりに適合する曲がりを有する。一つの典型的実施例において、保持壁８８はＵ形のフレーム７６、またはＵ形のフレームの第２の延伸部９４に物理的に取り付けられていない。他の典型的実施例において、保持壁８８は、壁の第２の部分９４または中央部９２をフレーム７６に取り付ける手段を取り入れる。そのような手段は、糊、接着剤、または留め具を含む。
【００５９】
一つの典型的実施例において、ハンドル１８は、前述したようにランプ４４によって規定される窪み区域４２を含む。しかし、ハンドル１８のベース部４１は、いずれもが受け孔８６を含むハンドルよりも僅かに狭い。全体として、トレー７４は患者の後部の歯列を取るような大きさである。トレー７４および本書面の他所で述べた他のトレーは、トレーの製造の過程で決定される銀、白、青、または他の色の仕上げ色を含ませることが出来る。前述したように、トレーは大きな人にも使用され、小さなトレーが小さな人に使用される。
【００６０】
Ｕ形のフレーム７６は、前述したようにいずれかの金属または合金で作っても良い。一実施例において、Ｕ形のフレームは、コイニングまたはスタンピングのような何らかの衝撃力を用いて形成される平らなワイヤから作られる。平らなワイヤは、ポリマースリーブ７８ａが構造から欠落していても、患者の快適さのために平滑な表面を有するという付加的な利点を有する。他の実施例において、Ｕ形のフレームは鋳造または成形される。さらなる実施例において、Ｕ形のフレームは機械加工される。いくつかの実施例において、金属部品はあらゆる鋭利なエッジを最小化するためにバリ取りされる。
【００６１】
フルアーチに関するリブの説明やハンドル１８のような他のトレー部材、およびトレーを成形するのに使用される別の材料の説明は、本書面の他所で述べたすべての他のアーチ形状や実施例に等しく適用可能である。また、本発明の例示具体例を幾分の特定性を持って述べてきたが、ここで述べた記述および図は限界を定めることを意図しておらず、当業者は本発明の趣旨および範囲から逸脱することなくここで述べた実施例に対してさまざまな改良が可能であること、また、すべてのそのような変形および改良は添付請求項の中に含まれるであろうことを理解するであろう。トレーの大きさ、リブの数、リブのスペース、さまざまな構造の傾斜またはテーパー、図７ａ、１０、１１に示すようなハンドルの孔の非存在、および使用されるスクリーンの種類を含み、本書面の他所で述べたトリプルトレーにさまざまな変更が可能である。したがって、本発明の趣旨および範囲から離れることなく、当業者による多くの代替および改良が可能である。
【図面の簡単な説明】
【００６２】
【図１】図１は、本発明の態様によって提供されるフルアーチのトレーの概略斜視図である。
【図１ａ】図１ａは、代替のリブ構成とともに示される、図１のフルアーチのトレーの概略斜視図である。
【図２】図２は、明確化のためにスクリーンを無くした、図１のフルアーチのトレーの概略後面図である。
【図３】図３は、図１のフルアーチのトレーの概略側面図である。
【図４】図４は、本発明の態様によって提供される四分の三アーチのトレーの概略斜視図である。
【図５】図５は、図４のトレーの概略平面図である。
【図６】図６は、本発明の態様によって提供される前部トレーの概略斜視図である。
【図６Ａ】図６Ａは、後ろ側の溝のスクリーンが無い、図６の前部トレーの概略上面図である。
【図７】図７は、本発明の態様によって提供される後部トレーの概略斜視図である。
【図７ａ】図７ａは、図７のトレーの非金属部分の斜視図である。
【図７ｂ】図７ｂは、図７のトレーのスリーブ部の斜視図である。
【図７ｃ】図７ｃは、図７ｃのトレーの金属部分の斜視図である。
【図８】図８は、図７のトレーの別な視点からの概略斜視図である。
【図９】図９は、図７のトレーの概略平面図である。
【図１０】図１０は、孔の無いハンドルの斜視図である。
【図１１】図１１は、本発明の後部トレーの実施例の斜視図を示す。
【図１２】図１２は、本発明の図１１のトレーの上面図を示す。
【図１】
2008508080.tif 000003
【図１Ａ】
2008508080.tif 000004
【図２】
2008508080.tif 000005
【図３】
2008508080.tif 000006
【図４】
2008508080.tif 000007
【図５】
2008508080.tif 000008
【図６】
2008508080.tif 000009
【図６Ａ】
2008508080.tif 000010
【図７】
2008508080.tif 000011
【図７Ａ】
2008508080.tif 000012
【図７Ｂ】
2008508080.tif 000013
【図７Ｃ】
2008508080.tif 000014
【図８】
2008508080.tif 000015
【図９】
2008508080.tif 000016
【図１０】
2008508080.tif 000017
【図１１】
2008508080.tif 000018
【図１２】
2008508080.tif 000019
【手続補正書】
【提出日】平成19年4月5日(2007.4.5)
【手続補正１】
【補正対象書類名】特許請求の範囲
【補正対象項目名】全文
【補正方法】変更
【補正の内容】
【特許請求の範囲】
【請求項１】
歯列の印象を取るためのトリプルトレーであって、
内壁と、
外壁であって、幅と、該外壁から伸長するハンドルとを有する外壁と、
前記内壁と前記外壁の両方に接続され、少なくとも一つの溝を規定し、それ以外では前記内壁と前記外壁とが接続されていないスクリーンとを有し、
前記ハンドルは、前記外壁に近接するネック部分と、前記ハンドルの平らな部分から前記ハンドルの周縁に向かって半径方向外向きの傾きを持ったテーパー面を有するテーパー化されたランプによって規定される窪みとを備え、前記ネック部分は前記外壁の幅よりも実質的に小さな幅を有することを特徴とするトリプルトレー。
【請求項２】
歯列の印象を取るためのトリプルトレーであって、
内側壁面及び外側壁面を有する内壁と、
外壁であって、該外壁から伸長するハンドルを有する外壁と、
前記内壁と前記外壁の両方に接続されたスクリーンと、
前記内壁の前記外側壁面から前記内壁の前記内側壁面を分離する複数の開口とを有し、
前記ハンドルは前記ハンドルの周縁近くに延伸する傾斜面を有するランプによって規定される窪みを含むことを特徴とするトリプルトレー。
【請求項３】
印象材による把持を容易にするために前記外壁の少なくとも一面および前記内壁の少なくとも一面に沿って位置された複数のリブを更に有することを特徴とする、請求項１または２に記載のトリプルトレー。
【請求項４】
前記テーパー化されたランプはＵ形の構造をしていることを特徴とする、請求項１、２、または３に記載のトリプルトレー。
【請求項５】
前記ネック部分の幅が前記外壁の幅の約２５パーセントから約４５パーセントまでの範囲であることを特徴とする、請求項１に記載のトリプルトレー。
【請求項６】
歯列の印象を取るためのトリプルトレーであって、
第１の延伸部と、曲がった部分と、第２の延伸部と、柱とを有する金属フレームと、
前記柱を受けるようになされた受け孔を有するプラスチックハンドルと、
前記金属フレームの第１の延伸部及び第２の延伸部に取り付けられたスクリーンとを含むことを特徴とするトリプルトレー。
【請求項７】
前記ハンドルは、前記ハンドルの周縁に沿って延びる傾斜面を有するランプによって規定される窪みを有することを特徴とする、請求項６に記載のトリプルトレー。
【請求項８】
前記スクリーンは前記曲がった部分に取り付けられて上部の溝と下部の溝を規定することを特徴とする、請求項６または７に記載のトリプルトレー。
【請求項９】
前記プラスチックハンドルは保持壁を有することを特徴とする、請求項６、７、または８に記載のトリプルトレー。
【請求項１０】
前記曲がった部分は低い横断面を有することを特徴とする、請求項６、７、または８に記載のトリプルトレー。
【請求項１１】
前記金属フレームが、アルミニウム、ステンレス鋼、マグネシウム、真鍮、銅、チタン、ニッケル／チタン合金、またはそれらの組み合わせからなるグループの中から選択される材料で作られていることを特徴とする、請求項６から１０のいずれかに記載のトリプルトレー。
【請求項１２】
前記第１の延伸部の前記少なくとも一部分がポリマースリーブで重ね成形されていることを特徴とする、請求項６に記載のトリプルトレー。
【手続補正２】
【補正対象書類名】明細書
【補正対象項目名】００６１
【補正方法】変更
【補正の内容】
【００６１】
フルアーチに関するリブの説明やハンドル１８のような他のトレー部材、およびトレーを成形するのに使用される別の材料の説明は、本書面の他所で述べたすべての他のアーチ形状や実施例に等しく適用可能である。また、本発明の例示具体例を幾分の特定性を持って述べてきたが、ここで述べた記述および図は限界を定めることを意図しておらず、当業者は本発明の趣旨および範囲から逸脱することなくここで述べた実施例に対してさまざまな改良が可能であること、また、すべてのそのような変形および改良は添付請求項の中に含まれるであろうことを理解するであろう。トレーの大きさ、リブの数、リブのスペース、さまざまな構造の傾斜またはテーパー、図７ａ、１０、１１に示すようなハンドルの孔の非存在、および使用されるスクリーンの種類を含み、本書面の他所で述べたトリプルトレーにさまざまな変更が可能である。したがって、本発明の趣旨および範囲から離れることなく、当業者による多くの代替および改良が可能である。
〔付記１〕
歯列の印象を取るためのトリプルトレーであって、
内壁と、
外壁であって、該外壁に取り付けられたハンドルを有する外壁と、
前記内壁と前記外壁の両方に接続され、少なくとも一つの溝を規定するスクリーンと、
前記外壁の少なくとも一面および前記内壁の少なくとも一面に沿って位置された複数のリブとを有し、
前記ハンドルは、前記ハンドルの平らな部分から前記ハンドルの周縁に向かって半径方向外向きの傾きを持ったテーパー面を有するテーパー化されたランプによって規定される窪みを備えることを特徴とするトリプルトレー。
〔付記２〕
前記複数のリブは、印象材による把持を容易にするために、前記外壁の内側壁面と前記内壁の内側壁面のうちの少なくとも一つに沿って配置されていることを特徴とする、付記１に記載のトリプルトレー。
〔付記３〕
歯列の印象を取るためのトリプルトレーであって、
内壁と、
外壁であって、該外壁に取り付けられたハンドルを有する外壁と、
前記内壁と前記外壁の両方に接続されたスクリーンと、
印象材による把持を容易にするために前記外壁の内側壁面および前記内壁の内側壁面に沿って位置された複数のリブとを有し、
複数の開口が前記内壁の外側壁面から前記内壁の内側壁面を分離し、前記ハンドルは前記ハンドルの周縁近くに延伸する傾斜面を有するランプによって規定される窪みを含むことを特徴とするトリプルトレー。
〔付記４〕
前記内壁および前記外壁は歯列全体を捕捉するのを可能にするのに充分なくらい長いことを特徴とする、付記１、２、または３に記載のトリプルトレー。
〔付記５〕
前記内壁および前記外壁は歯列の３／４を捕捉するのを可能にするのに充分なくらい長いことを特徴とする、付記１、２、３、または４に記載のトリプルトレー。
〔付記６〕
前記複数のリブは、実質的に横切る方向に存在することを特徴とする、付記１、２、または３に記載のトリプルトレー。
〔付記７〕
前記トレーの少なくとも一部分は、ポリマー、ポリマーアロイ、ポリマー合成物、またはそれらの組み合わせから出来ていることを特徴とする、先行する付記のいずれかに記載のトリプルトレー。
〔付記８〕
前記複数のリブの少なくとも一つは、延伸する壁構造を有し、該延伸する壁構造は前記ハンドルによって規定される平面に垂直に配置されることを特徴とする、付記７に記載のトリプルトレー。
〔付記９〕
前記スクリーンは、編まれたタイプの材料、編まれていないタイプの材料、およびそれらの組み合わせからなるグループの中から選択されることを特徴とする、付記７または８に記載のトリプルトレー。
〔付記１０〕
前記ハンドルは孔を有することを特徴とする、先行する付記のいずれかに記載のトリプルトレー。
〔付記１１〕
前記複数のリブの少なくとも一つは実質的に長手方向に存在することを特徴とする、先行する付記のいずれかに記載のトリプルトレー。
〔付記１２〕
前記テーパー化されたランプはＵ形の構造をしていることを特徴とする、付記１または３に記載のトリプルトレー。
〔付記１３〕
前記ハンドルは前記外壁と一体的に成形されていることを特徴とする、先行する付記のいずれかに記載のトリプルトレー。
〔付記１４〕
前記編まれたタイプの材料は、撚り結びされた材料であることを特徴とする、付記９に記載のトリプルトレー。
〔付記１５〕
前記複数のリブの少なくとも一つは延伸する壁構造を有し、該延伸する壁構造は前記ハンドルによって規定される平面に対してある角度を持って配置されることを特徴とする、先行する付記のいずれかに記載のトリプルトレー。
〔付記１６〕
前記外壁の外側壁面に少なくとも一つのリブをさらに有することを特徴とする、付記１または３に記載のトリプルトレー。
〔付記１７〕
前記内壁および前記外壁は、歯列の門歯および犬歯の部分のみを捕捉するのを可能にするのに充分な長さであることを特徴とする、付記１または３に記載のトリプルトレー。
〔付記１８〕
前記ポリマーは、ポリアミド、ポリスチレン、ポリホルムアルデヒド、ポリアリルエーテルエーテルケトン（PEEK）、ポリカーボネート（PC）、ＰＣ混合物、硫化ポリフェニール、アクリルポリマー、アクリロ二トリルブタジエンスチレン（ABS）、ポリアセタル、ポリオレフィン、ポリエステル、ポリ塩化ビニル、ポリエーテルイミド、液晶ポリマー、およびそれらの組み合わせからなるグループの中から選択されることを特徴とする、付記７に記載のトリプルトレー。
〔付記１９〕
前記ハンドルの少なくとも一部分は書き込み可能であることを特徴とする、先行する付記のいずれかに記載のトリプルトレー。
〔付記２０〕
前記複数のリブは、前記外壁の内壁に沿って実質的に均等に離れていることを特徴とする、先行する付記のいずれかに記載のトリプルトレー。
〔付記２１〕
前記ハンドルは、情報の表記を有することを特徴とする、付記１９に記載のトリプルトレー。
〔付記２２〕
前記ハンドルは、前記外壁と一体的に成形されていることを特徴とする、付記１または３に記載のトリプルトレー。
〔付記２３〕
歯列の印象を取るためのトリプルトレーであって、
第１の延伸部と、曲がった部分と、第２の延伸部と、柱とを有する金属フレームと、
プラスチックハンドルであって、保持壁と、受け孔と、前記ハンドルの周縁に沿って延びる傾斜面を有するランプによって規定される窪みとを有するプラスチックハンドルと、
スクリーンとを含み、
前記柱は前記ハンドルの前記受け孔に受け止められることを特徴とするトリプルトレー。
〔付記２４〕
前記スクリーンは、前記金属フレームの前記第１の延伸部と、前記曲がった部分と、前記第２の延伸部に取り付けられて上部の溝と下部の溝を規定することを特徴とする、付記２３に記載のトリプルトレー。
〔付記２５〕
前記スクリーンは、前記金属フレームの前記第１の延伸部と、前記第２の延伸部に取り付けられて上部の溝と下部の溝を規定することを特徴とする、付記２３に記載のトリプルトレー。
〔付記２６〕
前記金属フレームの前記第２の延伸部が、前記保持壁に固定されていることを特徴とする、付記２３、２４、または２５に記載のトリプルトレー。
〔付記２７〕
前記保持壁がスリットを有することを特徴とする、付記２６に記載のトリプルトレー。
〔付記２８〕
前記金属フレームの前記第１の延伸部が第２の保持壁に固定されていることを特徴とする、付記２３から２７のいずれかに記載のトリプルトレー。
〔付記２９〕
前記第２の保持壁が前記第１の延伸部の少なくとも一部分を覆うポリマースリーブの一部分を有することを特徴とする、付記２８に記載のトリプルトレー。
〔付記３０〕
前記金属フレームが、アルミニウム、ステンレス鋼、マグネシウム、真鍮、銅、ニッケル／チタン合金、またはそれらの組み合わせからなるグループの中から選択される材料で作られていることを特徴とする、付記２３から２９のいずれかに記載のトリプルトレー。
〔付記３１〕
前記第１の延伸部の前記少なくとも一部分が前記ポリマースリーブで重ね成形（オーバーモールド）されていることを特徴とする、付記３０に記載のトリプルトレー。
〔付記３２〕
前記スクリーンが前記ポリマースリーブに固定されていることを特徴とする、付記２９、３０または３１に記載のトリプルトレー。
【国際調査報告】
2008508080.tif 000020
2008508080.tif 000021
2008508080.tif 000022
2008508080.tif 000023
2008508080.tif 000024